(57)【要約】      （修正有）【課題】椅子に座る人を覆うクロスを支持するための支持具であって、椅子に座る人の身体にクロスが密着することを防止可能な支持具を提供する。【解決手段】支持具１は、一対の棒材２０Ａ，２０Ｂと、一対の取付具３０Ａ，３０Ｂとを有する。各取付具は、肘掛１０Ａ，１０Ｂに接着される接着部３１ａ，３１ｂと、接着部３１ａ，３１ｂと一体の筒部３２とを備える。各棒材２０Ａ，２０Ｂは、軸部２１が筒部３２に挿通されて、軸部２１が筒部３２の前側壁部に支持されて前高後低に傾斜し、且つ軸部２１が筒部３２の下側開口の近傍部に押さえ付けられる上側位置に移動可能とされる。各棒材２０Ａ，２０Ｂが上側位置にある状態では、各棒材２０Ａ，２０Ｂの大径部２２は肘掛１０Ａ，１０Ｂの位置から前方且つ上方に突き出ており、該突き出た大径部２２にクロスＣを支持させることで、クロスＣと椅子に座る人Ｕの身体との間に隙間を生じさせることができる。【選択図】図１
0003185636.tif 000002
【実用新案登録請求の範囲】
【請求項１】
椅子に座る人を覆うクロスを支持するための支持具であって、
軸部、及び該軸部の一方端に形成される大径部を備える一対の棒材と、
前記一対の棒材を前記椅子の左右の肘掛に取り付けるために使用される一対の取付具とを有し、
各前記取付具は、前記肘掛に接着される接着部と、該接着部と一体の筒部とを備え、前記接着部が前記肘掛に接着された状態において、前記筒部は上下に開口して、前記筒部の前側壁部は前高後低に傾斜し、
各前記棒材は、前記大径部が前記筒部の上側に位置するように前記軸部が前記筒部の内部に挿通されて、前記大径部が前記筒部の上側開口に嵌合支持される下側位置と、前記軸部が前記筒部の前側壁部に支持されて前高後低に傾斜し、且つ前記軸部が前記筒部の下側開口の近傍部に押さえ付けられる上側位置とに移動可能とされ、
各前記棒材が前記下側位置にある状態では、各前記棒材は前記肘掛の位置から下方に垂れ下り、
各前記棒材が前記上側位置にある状態では、各前記棒材の前記大径部は前記肘掛の位置から前方且つ上方に突き出ており、前記クロスを各前記棒材の前記大径部に支持させることで、前記クロスと前記椅子に座る人の身体との間に隙間を生じさせることが可能な支持具。
【請求項２】
前記取付具は、折り曲げ可能な一枚の板材から形成されるものであり、
上下方向及び前後方向を２軸とする平面に前記板材を広げてみたときに、前記板材は、
第１部分と、第１折目線を介して前記第１部分と連設される第２部分と、第２折目線を介して前記第２部分と連設される第３部分と、第３折目線を介して前記第２部分と連設される第４部分とを有し、
前記第１折目線は、前記第１部分の上端を構成するものであり、前高後低に傾斜し、前記第２部分は、前記第１折目線５１ａから後側に延び出ており、
前記第２折目線は、前記第２部分の上端を構成するものであり、左右方向に延び、前記第３部分は、前記第２折目線から上側に延び出ており、
前記第３折目線は、前記第２部分の下端を構成するものであり、左右方向に延び、前記第４部分は、前記第３折目線から下側に延び出ており、
前記第１折目線に沿って、前記第１部分を前記第２部分の表面側に折り曲げた後、前記第２部分よりも後側に突出した前記第１部分の範囲を前記第２部分の裏面に接着することで、前記第１部分及び前記第２部分により前記筒部が構成されて、前記第４部分及び前記第５部分により前記接着部が構成された前記取付具が形成され、
前記第４部分及び前記第５部分により構成される前記接着部を前記肘掛に接着するために、前記第２折目線や前記第３折目線を折目として、前記第４部分及び前記第５部分により構成される前記接着部を折り曲げることで、該接着部を前記肘掛の表面に沿わせることが可能な請求項１に記載の支持具。
【請求項３】
前記第１折目線に沿って、前記第１部分を前記第２部分の表面側に折り曲げた状態において、前記第１折目線と、前記第４部分の前辺とは、同一の直線上を延びる請求項２に記載の支持具。
【考案の詳細な説明】
【技術分野】
【０００１】
本考案は、クロスを支持する支持具に関する。
【背景技術】
【０００２】
従来、美容室や理容室では、椅子に座る散髪者をクロスで覆うことで、切り取られた髪の毛やシャンプーや水滴等が、散髪者の衣服に付着することが防止されていた。
【考案の概要】
【考案が解決しようとする課題】
【０００３】
ところで、散髪者の身体にクロスが密着する場合、室温が高いときなどに散髪者に暑苦しさを感じさせ、また、散髪者が腕や足を思うように動かせないことで、散髪者に不自由さを感じさせる。
【０００４】
本考案は、上記事項に鑑みてなされたものであって、その目的は、椅子に座る人を覆うクロスを支持するための支持具であって、椅子に座る人の身体にクロスが密着することを防止可能な支持具を提供することである。
【課題を解決するための手段】
【０００５】
本考案に係る支持具は、椅子に座る人を覆うクロスを支持するための支持具であって、軸部、及び該軸部の一方端に形成される大径部を備える一対の棒材と、前記一対の棒材を前記椅子の左右の肘掛に取り付けるために使用される一対の取付具とを有し、各前記取付具は、前記肘掛に接着される接着部と、該接着部と一体の筒部とを備え、前記接着部が前記肘掛に接着された状態において、前記筒部は上下に開口して、前記筒部の前側壁部は前高後低に傾斜し、各前記棒材は、前記大径部が前記筒部の上側に位置するように前記軸部が前記筒部の内部に挿通されて、前記大径部が前記筒部の上側開口に嵌合支持される下側位置と、前記軸部が前記筒部の前側壁部に支持されて前高後低に傾斜し、且つ前記軸部が前記筒部の下側開口の近傍部に押さえ付けられる上側位置とに移動可能とされ、各前記棒材が前記下側位置にある状態では、各前記棒材は前記肘掛の位置から下方に垂れ下り、各前記棒材が前記上側位置にある状態では、各前記棒材の前記大径部は前記肘掛の位置から前方且つ上方に突き出ており、前記クロスを各前記棒材の前記大径部に支持させることで、前記クロスと前記椅子に座る人の身体との間に隙間を生じさせることが可能である。
【０００６】
好ましくは、前記取付具は、折り曲げ可能な一枚の板材から形成されるものであり、上下方向及び前後方向を２軸とする平面に前記板材を広げてみたときに、前記板材は、第１部分と、第１折目線を介して前記第１部分と連設される第２部分と、第２折目線を介して前記第２部分と連設される第３部分と、第３折目線を介して前記第２部分と連設される第４部分とを有し、前記第１折目線は、前記第１部分の上端を構成するものであり、前高後低に傾斜し、前記第２部分は、前記第１折目線５１ａから後側に延び出ており、前記第２折目線は、前記第２部分の上端を構成するものであり、左右方向に延び、前記第３部分は、前記第２折目線から上側に延び出ており、前記第３折目線は、前記第２部分の下端を構成するものであり、左右方向に延び、前記第４部分は、前記第３折目線から下側に延び出ており、前記第１折目線に沿って、前記第１部分を前記第２部分の表面側に折り曲げた後、前記第２部分よりも後側に突出した前記第１部分の範囲を前記第２部分の裏面に接着することで、前記第１部分及び前記第２部分により前記筒部が構成されて、前記第４部分及び前記第５部分により前記接着部が構成された前記取付具が形成され、前記第４部分及び前記第５部分により構成される前記接着部を前記肘掛に接着するために、前記第２折目線や前記第３折目線を折目として、前記第４部分及び前記第５部分により構成される前記接着部を折り曲げることで、該接着部を前記肘掛の表面に沿わせることが可能である。
【０００７】
好ましくは、前記第１折目線に沿って、前記第１部分を前記第２部分の表面側に折り曲げた状態において、前記第１折目線と、前記第４部分の前辺とは、同一の直線上を延びる。
【考案の効果】
【０００８】
本考案の支持具によれば、各棒材が上側位置にあるときに、各棒材の大径部にクロスを支持させることで、椅子に座る人の身体とクロスとの間に隙間を生じさせることができる。これにより、椅子に座る人の身体にクロスが密着することが防止される。したがって、椅子に座る人は、暑苦しさを感じず、腕や足を思うように動かすことができる。
【０００９】
また、各棒材を下側位置に移動させておくことで、棒材は、肘掛の位置から下方に垂れ下る。このため、人が椅子に座る際や、人が椅子から離れる際などには、各棒材を下側位置に移動させておくことで、棒材が邪魔にならない。
【図面の簡単な説明】
【００１０】
【図１】本考案の支持具がクロスを支持する状態を示す斜視図である。
【図２】本考案の支持具が椅子に取り付けられた状態を示す斜視図である。
【図３】椅子に取り付けられた支持具を拡大して示す斜視図である。
【図４】本考案の支持具が椅子に取り付けられた状態を示す斜視図である。
【図５】椅子に取り付けられた支持具を拡大して示す斜視図である。
【図６】本考案の支持具を示す斜視図である。
【図７】取付具を形成するために使用される板材を示す正面図である。
【図８】本考案の支持具を製造する方法を説明するための斜視図である。
【図９】本考案の支持具を製造する方法を説明するための斜視図である。
【図１０】図６の対応図であって、取付具の変形例を備えた支持具を示す斜視図である。
【図１１】図５の対応図であって、図１０に示す支持具が椅子に取り付けられた状態を示す斜視図である。
【図１２】図７の対応図であって、板材の変形例を示す正面図である。
【考案を実施するための形態】
【００１１】
以下、本考案の実施形態に係る支持具について図面を参照しつつ説明する。本実施形態の支持具１は、椅子Ｋに座る散髪者Ｕを覆うクロスＣを支持するものである（図１）。椅子Ｋは、美容室や理容室に設置されるものであり、左右の肘掛１０Ａ，１０Ｂを備える（図１，図２、及び図４）。クロスＣは、散髪者Ｕの首に巻きつけられて、散髪者Ｕの胴体や腕や足を覆う。
【００１２】
図１，図２、及び図４に示すように、支持具１は、一対の棒材２０Ａ，２０Ｂと、一対の取付具３０Ａ，３０Ｂとを備える。取付具３０Ａ，３０Ｂは、棒材２０Ａ，２０Ｂを、左右の肘掛１０Ａ，１０Ｂに取り付けるために使用される。以下の説明では、肘掛１０Ａ，１０Ｂ、棒材２０Ａ，２０Ｂ、及び取付具３０Ａ，３０Ｂを、それぞれ肘掛１０、棒材２０、及び取付具３０と適宜総称する。また以下の説明では、椅子Ｋに座った散髪者Ｕからみて、正面側を前側と記し、背面側を後側と記す。
【００１３】
図１〜図６に示すように、各取付具３０は、肘掛１０に接着される接着部３１ａ，３１ｂと、接着部３１ａ，３１ｂと一体の筒部３２とを備える。
【００１４】
図６に示すように、接着部３１ａと接着部３１ｂとは、上下に相対するものである。接着部３１ａは、筒部３２の上端部から延びており、接着部３１ａの下側表面が、両面テープを用いて肘掛１０の上側表面に接着される。接着部３１ｂは、筒部３２の下端部から延びており、接着部３１ｂの上側表面が、両面テープを用いて肘掛１０の下側表面に接着される。上記のように接着部３１ａ，３１ｂが肘掛１０に接着された状態では、筒部３２は上下に開口し、筒部３２の前側壁部３３（図３，図５，図６）は、前高後低に傾斜する。
【００１５】
各棒材２０は、軸部２１と、軸部２１の一方端（上端）に形成される大径部２２と、軸部２１の他方端（下端）に形成される大径部２３とを備えて、約４０ｃｍの長さを有する。軸部２１は、アクリル、プラスチック、金属、或いは木材等からなる。大径部２２は、プラスチックからなる球状体であり、軸部２１の一方端（上端）に突き刺されている。大径部２３は、樹脂を成分とするパテが、軸部２１の他方端（下端）に塗布及び接着されたものである。
【００１６】
図１〜図６に示すように、各棒材２０は、大径部２２が筒部３２の上方に位置し、大径部２３が筒部３２の下方に位置するように、軸部２１が筒部３２に挿通される。
【００１７】
大径部２２は筒部３２の上側開口３４（図３，図６）よりも大きな幅を有し、大径部２３は筒部３２の下側開口３５（図５，図６）よりも大きな幅を有する。大径部２２，２３は、棒材２０が筒部３２から抜け出ることを防止する抜け止めとして機能する。
【００１８】
そして上述のように軸部２１が筒部３２に挿通された状態では、各棒材２０は、図２及び図３に示す下側位置と、図４及び図５に示す上側位置とに移動可能である。
【００１９】
棒材２０が下側位置にある状態では、図３に示すように、大径部２２が筒部３２の上側開口３４に嵌合支持されることで、棒材２０は静止する。そしてこの状態では、棒材２０は、肘掛１０の位置から下方に垂れ下がっている（図２，図３）。
【００２０】
棒材２０が上側位置にある状態では、図５に示すように、軸部２１が筒部３２の前側壁部３３に支持され、且つ軸部２１が筒部３２の下側開口３５の近傍部に押さえ付けられることで、棒材２０は静止する。そしてこの状態では、各棒材２０の軸部２１は、前側壁部３３の内面に沿って前高後低に傾斜しており、各棒材２０の大径部２２は、肘掛１０の位置から、前方且つ上方に突き出ている（図４，図５）。
【００２１】
支持具１は、各棒材２０が上側位置にあるときに（図１，図４，図５）、肘掛１０の位置から前方且つ上方に突き出た大径部２２にクロスＣを支持させるものであり（図１）、この状態では、クロスＣと散髪者Ｕの身体（胴体、腕、足）との間に隙間を生じさせることができる。
【００２２】
次に、本実施形態に係る支持具１を製造する方法について、図７〜図９を参照して説明する。
【００２３】
取付具３０Ａ，３０Ｂは、それぞれ折り曲げ可能な一枚の板材５０（図７）から形成される。以下では、取付具３０Ａの形成に使用される板材５０を板材５０Ａと記し、取付具３０Ｂの形成に使用される板材５０を板材５０Ｂと記す。
【００２４】
図７は、上下方向及び前後方向を２軸とする平面に、板材５０Ａ，５０Ｂを広げてみた状態を示している。この状態では、板材５０Ａ，５０Ｂは、第１部分５１と、第１折目線５１ａを介して第１部分５１と連設される第２部分５２と、第２折目線５２ａを介して第２部分５２と連設される第３部分５３と、第３折目線５２ｂを介して第２部分５２と連設される第４部分５４とを有する。第１折目線５１ａは、第１部分５１の上端を構成するものであり、前高後低に傾斜する。第２部分５２は、第１折目線５１ａから後側に延び出る。第２折目線５２ａは、第２部分５２の上端を構成するものであり、左右方向に延びる。第３部分５３は、第２折目線５２ａから上側に延び出る。第３折目線５２ｂは、第２部分５２の下端を構成するものであり、左右方向に延びる。第４部分５４は、第３折目線５２ｂから下側に延び出る。
【００２５】
第１部分５１の上下方向の長さは、第２部分５２の左右方向の長さよりも大きい。また、第１折目線５１ａと、第４部分５４の前辺５４ａとは同一の直線上を延びる。
【００２６】
支持具１を製造するにあたっては、まず、板材５０Ａ，５０Ｂと、大径部２３が形成されていない棒材２０Ａ，２０Ｂとを準備する（図９（ａ）には、大径部２３が形成されていない状態の棒材２０Ａ，２０Ｂが示されている）。
【００２７】
そして、板材５０Ａ，５０Ｂのそれぞれにおいて、図８（ａ）に示す初期の状態から、第１折目線５１ａに沿って、第１部分５１を第２部分５２の表面側に折り曲げる（図８（ｂ））。この折り曲げにより、第１部分５１には、第２部分５２よりも後側に突出した範囲５１ｂが生じる。
【００２８】
そして、板材５０Ａ，５０Ｂのそれぞれにおいて、図８（ｃ）に示すように、第１部分５１の範囲５１ｂを第２部分５２の裏面に接着する。これにより、取付具３０Ａ，３０Ｂが形成される。この取付具３０Ａ，３０Ｂは、第１部分５１及び第２部分５２により筒部３２が構成され、第３部分５３により接着部３１ａが構成され、第４部分５４により接着部３１ｂが構成されたものとなっている。また、筒部３２では、第１折目線５１ａにより前側壁部３３が構成されており、前側壁部３３と接着部３１ｂ（第４部分５４）の前辺５４ａとは、同一の直線上を延びている。
【００２９】
ついで、棒材２０Ａ，２０Ｂの軸部２１を、それぞれ、取付部３０Ａ，３０Ｂの筒部３２に挿通させる（図９（ａ））。この際には、軸部２１を他方端２１ａから先に筒部３２の上側開口３４に通して、軸部２１の他方端２１ａを筒部３２の下側開口３５から延び出させる。
【００３０】
ついで、棒材２０Ａ，２０Ｂのそれぞれにおいて、軸部２１の他方端２１ａにパテを塗布して接着することで、大径部２３を形成する（図９（ｂ））。以上で、支持具１の製造が完了する。この後、接着部３１ａ，３１ｂを肘掛１０の表面に沿わせて両面テープで接着することで、支持具１が肘掛１０に取り付けられる。なお、第２折目線５２ａや第３折目線５２ｂ（図７，図８）に沿って接着部３１ａ，３１ｂを折り曲げることで、接着部３１ａ，３１ｂを肘掛１０の表面に沿わせることができる。
【００３１】
本実施形態の支持具１によれば、棒材２０Ａ，２０Ｂが上側位置にあるときに（図１，図４，図５）、棒材２０Ａ，２０Ｂの大径部２２にクロスＣを支持させることで（図１）、クロスＣと散髪者Ｕの身体との間に隙間を生じさせることができる。これにより、クロスＣが散髪者Ｕの身体に密着することが防止される。したがって、散髪者Ｕは、暑苦しさを感じず、腕や足を思うように動かすことができる。
【００３２】
また、図２，図３に示すように棒材２０Ａ，２０Ｂを下側位置に移動させておくことで、棒材２０Ａ，２０Ｂは、肘掛１０の位置から下方に垂れ下る。このため、散髪者Ｕが椅子Ｋに座る際や、散髪者Ｕが椅子Ｋから離れる際などに、棒材２０Ａ，２０Ｂを下側位置に移動させておくことで、棒材２０Ａ，２０Ｂが邪魔にならない。
【００３３】
また、取付具３０Ａ，３０Ｂが、一枚の板材５０Ａ，５０Ｂ（図７）から形成されるので、支持具１を構成する部品点数を少なく抑えることができる。
【００３４】
また、棒材２０Ａ，２０Ｂに大径部２２，２３が形成されることで、棒材２０Ａ，２０Ｂが筒部３２から抜け出ることが防止される。なお、大径部２３は必ずしも棒材２０Ａ，２０Ｂに形成されなくてもよい。この場合、棒材２０Ａ，２０Ｂの軸部２１を長くすることで、棒材２０Ａ，２０Ｂが筒部３２から抜け出ることを防止できる。
【００３５】
また、前側壁部３３（第１折目線５１ａ）と、接着部３１ｂ（第４部分５４）の前辺５４ａとが同一の直線上を延びることで、支持具１が肘掛１０に取り付けられた状態では、棒材２０から筒部３２を介して接着部３１ｂに伝わる荷重を、接着部３１ｂの長さ方向（前辺５４ａと略平行な方向）の全幅で支持することができる。したがって、上記の荷重が大きい場合であっても、接着部３１ｂが肘掛１０に接着された状態を維持して、支持具１が肘掛１０から脱落することを防止できる。
【００３６】
なお、本考案は、上記実施形態に限定されず、種々改変することができる。
【００３７】
例えば、棒材２０の長さは、取付具３０が棒材２０を支持可能であり、且つ、クロスＣと散髪者Ｕの身体との間に隙間が生じ得る限りにおいて、任意に設定される。
【００３８】
また、大径部２２や大径部２３は、軸部２１と予め一体とされるものであってもよい。このようにする場合には、図８（ｂ）に相当する工程で、第１部分５１と第２部分５２との間に軸部２１が挟み込まれるように、第１部分５１を第２部分５２の表面側に折り曲げた後、図８（ｃ）に相当する工程で、第１部分５１の範囲５１ｂを第２部分５２の裏面に接着して筒部３２を形成することで、筒部３２に軸部２１が挿通された支持具１を製造できる。
【００３９】
また、取付具は、図１０に示すように変更されてもよい。図１０に示す取付具６０は、筒部３２の上側開口３４の前端に、切欠６１が形成されたものである。切欠６１は、前側壁部３３の上端を底とするものであり、この前側壁部３３の上端から後高前低に傾斜する。この切欠６１が形成された取付具６０を用いる場合には、図１１に示すように棒材２０が上側位置にあるときに、軸部２１が切欠６１に入り込むことで、棒材２０が前高後低に傾斜した状態が維持される。
【００４０】
なお、図１０，図１１に示す取付具６０は、図１２に示す板材７０を用いて形成することができる。板材７０は、第１折目線５１ａに略直交する直線７１に沿って、第１部分５１の上縁及び第２部分５２の前縁が切り欠かれたものである、この板材７０によれば、図８（ａ）〜（ｃ）と同様の工程で、取付具６０を形成することができる。
【００４１】
また上記実施形態では、本考案の支持具１が、散髪者Ｕを覆うクロスＣを支持する例を示したが、本考案の支持具１の用途は、上記実施形態に示す用途に制限されない。例えば、椅子に座り食事する人を覆うクロスを支持するためにも、本考案の支持具１は使用できる。
【符号の説明】
【００４２】
１  支持具
１０Ａ，１０Ｂ  肘掛
２０Ａ，２０Ｂ  棒材
２１  軸部
２２  大径部
３０Ａ，３０Ｂ，６０  取付具
３１ａ，３１ｂ  接着部
３２  筒部
３３  前側壁部
３４  上側開口
３５  下側開口
５０Ａ，５０Ｂ，７０  板材
５１  第１部分
５１ａ  第１折目線
５１ｂ  第２部分よりも後側に突出した第１部分の範囲
５２  第２部分、
５２ａ  第２折目線
５２ｂ  第３折目線
５３  第３部分、
５４  第４部分
５４ａ  第４部分の前辺
【図１】
0003185636.tif 000003
【図２】
0003185636.tif 000004
【図３】
0003185636.tif 000005
【図４】
0003185636.tif 000006
【図５】
0003185636.tif 000007
【図６】
0003185636.tif 000008
【図７】
0003185636.tif 000009
【図８】
0003185636.tif 000010
【図９】
0003185636.tif 000011
【図１０】
0003185636.tif 000012
【図１１】
0003185636.tif 000013
【図１２】
0003185636.tif 000014